(57)【要約】【課題】  磁気検知タグの進入部に依存せずに、確実に検知タグの失効状態を確認できる磁気検知タグ判定装置を提供する。【解決手段】  平板枠体にその巻回軸方向を互いに所定角度異ならして巻回した複数の個別コイルからなる交差コイル２２と、  交流電力を発生する発信器と、前記発信器の発生する交流電力の位相を所定角度互いに異ならせて各個別コイルにそれぞれ異なる位相の個別電力を供給する位相変調器と、からなる磁界電力供給部２４と、  複数の個別コイルのそれぞれと接続される信号処理部２８と、  信号処理部の出力信号を判定する判定部３０と、からなることを特徴とする磁気検知タグ判定装置。【選択図】  図２
2006220420.tif 000002
【特許請求の範囲】
【請求項１】
平板枠体にその巻回軸方向を互いに所定角度異ならして巻回した複数の個別コイルからなる交差コイルと、
交流電力を発生する発信器と、前記発信器の発生する交流電力の位相を所定角度互いに異ならせて各個別コイルにそれぞれ異なる位相の個別電力を供給する位相変調器と、からなる磁界電力供給部と、
複数の個別コイルのそれぞれと接続される信号処理部と、
信号処理部の出力信号を判定する判定部と、
からなることを特徴とする磁気検知タグ判定装置。
【請求項２】
平板枠体にその巻回軸方向を互いに所定角度異ならして巻回した複数の個別コイルからなる交差コイルと、
交流電力を発生する発信器と、前記発信器の発生する交流電力の位相を所定角度互いに異ならせて各個別コイルにそれぞれ異なる位相の個別電力を供給する位相変調器と、からなる磁界電力供給部と、
前記個別コイルの各巻回軸を含む平面と平行に配設した１個以上の検知コイルと、前記１個以上の検知コイルに接続された検知コイルの出力信号処理を行う信号処理部と、
信号処理部の信号を判定する判定部と、
からなることを特徴とする磁気検知タグ判定装置。
【請求項３】
複数の検知コイルが、互いに隣合う検知コイルの磁束方向が逆方向になるように接続されてなる請求項２に記載の磁気検知タグ判定装置。
【請求項４】
交差コイルが、２個の個別コイルの磁束方向を９０度異ならせて配設すると共に、これら各個別コイルに供給する交流電力の位相を９０度互いに異ならせてなる請求項１乃至３の何れかに記載の磁気検知タグ判定装置。
【発明の詳細な説明】
【技術分野】
【０００１】
本発明は、磁気検知タグ（以下、検知タグ、ＥＭタグともいう。）の失効状態を確認する磁気検知タグ判定装置に関し、更に詳述すれば本発明は少なくとも硬磁性体層と軟磁性体層とを積層してなる検知タグの硬磁性体層を着磁させることにより検知タグを失効させた後の検知タグの失効状態を確認する磁気検知タグ判定装置に関する。
【背景技術】
【０００２】
従来、商品等に添付され、商品と共に移動し、所定のゲートを通過する際に検出されることにより商品の管理を行ったり、商品の盗難を防止したりする、磁気利用の検知タグが知られている（例えば特許文献１）。このような磁気利用の検知タグをＥＭ（Electric Magnetic)タグとも呼んでいる。
【０００３】
図１２に従来の検知タグの一例を示す。図１２中、１６０はコバルト元素等を含有する軟磁性体層である。前記軟磁性体層１６０の一面にはポリエステル系の接着剤層１６２を介して多数の貫通孔１６３を形成した硬磁性体層１６５が積層されている。硬磁性体層１６５は、例えばニッケル等の硬磁性体元素が含有されてなる。硬磁性体層１６５の上面には上質紙や、樹脂フィルムからなる保護層１６７が積層されている。
【０００４】
また、前記軟磁性体層１６０の他面には粘着剤層１６８を介して剥離材１６９が積層されている。この検知タグの使用に際しては、上記剥離材１６９が剥され、管理されるべき商品等に貼着される。
【０００５】
図１３は、検知タグを検出するゲート１７０、１７２を示すもので、両ゲート１７０、１７２間に交流磁界Ｓが形成されている。また、両ゲート１７０、１７２には磁界強度を検出する検出器（不図示）が取りつけられており、この検出器により前記両ゲート１７０、１７２間の磁界強度が検出されている。なお、１７４は検知タグである。検知タグ１７４が商品等（不図示）に取りつけられて矢印Ｒで示されるように両ゲート１７０、１７２間を通過すると、ゲート１７０、１７２間に形成されている磁界Ｓが歪められる。この磁界Ｓの歪みを検出することにより、検知タグ１７４がゲート１７０、１７２間を通過したことが認識される。
【０００６】
図１４は、磁界の歪みを検出する具体的方法の一例を示すものである。図１４中、（ａ１）は、図１３中のゲート１７０、１７２間に形成する一定周波数の交流磁界の波形を示す。簡単な数学的手法を用いて、時間軸を周波数軸に変換すると（ａ２）に示す波形に変換される。
【０００７】
図１４中、（ｂ１）は、検知タグ１７４がゲート１７０、１７２間を通過することにより歪んだ交流磁界の波形を示す。この歪んだ波形を上記と同様にして座標軸変換を行うと、（ｂ２）に示す波形が得られる。（ｂ２）の波形には、交流磁界の歪みに起因する高調波１８０、１８２が認められる。この高調波の有無を検出すること、及びその発生パターンを判定することにより、ゲート１７０、１７２間を検知タグ１７４が通過したことの有無が検出される。
【０００８】
例えば、商品等が正規に購入され、外部に搬出されても良い状態になった場合は、この商品等に貼着された検知タグ１７４に失効操作を施す。この失効操作を施すことにより、商品に貼着された検知タグ１７４がゲート１７０、１７２内を通過しても磁界が歪められることが無くなる。この結果、商品等は安全に外部に持出される。
【０００９】
一方、不正に外部に持出されようとする場合は、検知タグ１７４は失効されていない状態にあるので、商品等がゲート１７０、１７２内を通過すると歪んだ磁界が発生され、この歪んだ磁界を検出することにより不正持出しが検出される。
【００１０】
失効は、図１２に示す検知タグの硬磁性体層１６５を失効器を用いて着磁することにより達成される。
【００１１】
図１１は、従来用いられている失効器の一例を示す。この失効器１５０は、基台１５２に、直径１２ｍｍの円盤状永久磁石が互いに１０ｍｍ程度の間隔を保って並べられたもので、各磁石はＮ極１５４と、Ｓ極１５６とが交互に配列されている。
【００１２】
この失効器１５０の上面に図１２に示される検知タグが触れると、硬磁性体層１６５が着磁され、これにより検知タグが失効される。
【００１３】
しかし、従来の失効器を用いる検知タグの失効方法においては、確実に全ての検知タグが失効するとは限らず、失効されない場合が発生している。この場合は、正当な手続で入手した商品であるにもかかわらず、ゲートで検知されて、不正に入手したものとみなされることになり、大きな問題となる。
【００１４】
この問題を解決するものとして、本発明者らは上記失効器に磁界発生コイルと、検知タグからの信号を検知する２個のループコイルを備える検知コイルと、信号検出回路とからなる検知タグの失効確認手段を付加した失効器を提案した（特願２００４−３２２７００公報）。この失効確認手段は、磁界発生コイルにより発生する磁界に対する検知タグの反射信号を前記２個のループコイルで受信し、それら２個のループコイルの差信号を取出して検出する方法が採用されている。
【００１５】
しかし、上記失効器において、磁石が交互に配置されている失効面に検知タグが進入する際の進入方向によっては、失効確認手段の検知性能が低下する場合があることが見いだされた。例えば、失効面の周縁部に進入した検知タグの検出感度は低い場合がある。この場合は、失効操作を施した検知タグの失効状態の判定を誤る場合がある。
【特許文献１】特開平６−３４２０６５（請求項１）
【発明の開示】
【発明が解決しようとする課題】
【００１６】
本発明者は、上記問題を解決するために種々検討するうちに、複数の磁界発生コイルの巻回軸方向を互いに所定角度異ならした交差コイルを用いて、この交差コイルに互いに位相差のある電力を供給することにより、交差コイルの発生する磁場を均一にでき、その結果、検知タグの進入部による検知タグの検出感度の依存性を解消できることに想到した。
【００１７】
本発明は上記知見に基づき完成するに至ったものである。従って、本発明の目的とするところは検知タグの進入部に依存することなく、確実に検知タグの失効状態を確認できる、磁気検知タグの失効状態の判定装置を提供することにある。
【課題を解決するための手段】
【００１８】
上記目的を達成する本発明は、以下に記載するものである。
【００１９】
〔１〕  平板枠体にその巻回軸方向を互いに所定角度異ならして巻回した複数の個別コイルからなる交差コイルと、
交流電力を発生する発信器と、前記発信器の発生する交流電力の位相を所定角度互いに異ならせて各個別コイルにそれぞれ異なる位相の個別電力を供給する位相変調器と、からなる磁界電力供給部と、
複数の個別コイルのそれぞれと接続される信号処理部と、
信号処理部の出力信号を判定する判定部と、
からなることを特徴とする磁気検知タグ判定装置。
【００２０】
〔２〕  平板枠体にその巻回軸方向を互いに所定角度異ならして巻回した複数の個別コイルからなる交差コイルと、
交流電力を発生する発信器と、前記発信器の発生する交流電力の位相を所定角度互いに異ならせて各個別コイルにそれぞれ異なる位相の個別電力を供給する位相変調器と、からなる磁界電力供給部と、
前記個別コイルの各巻回軸を含む平面と平行に配設した１個以上の検知コイルと、前記１個以上の検知コイルに接続された検知コイルの出力信号処理を行う信号処理部と、
信号処理部の信号を判定する判定部と、
からなることを特徴とする磁気検知タグ判定装置。
【００２１】
〔３〕  複数の検知コイルが、互いに隣合う検知コイルの磁束方向が逆方向になるように接続されてなる〔２〕に記載の磁気検知タグ判定装置。
【００２２】
〔４〕  交差コイルが、２個の個別コイルの磁束方向を９０度異ならせて配設すると共に、これら各個別コイルに供給する交流電力の位相を９０度互いに異ならせてなる〔１〕乃至〔３〕の何れかに記載の磁気検知タグ判定装置。
【発明の効果】
【００２３】
本発明の検知タグ判定装置は、巻回軸方向を互いに所定角度異ならして巻回した複数の個別コイルからなる交差コイルを磁界発生コイルとして用いているので、コイルに供給する電流を不必要に大きくすることなしに、検知タグの進入部に依存する検知タグの検出感度の低下が避けられる。このため、検知タグの失効状態の有無を確実に確認できる。その結果、未失効の検知タグが誤ってゲートで検出される事故を確実に防止できる。
【発明を実施するための最良の形態】
【００２４】
以下、図面を参照して本発明の実施形態につき、詳細に説明する。
【００２５】
（第１の実施形態）
図２は、本発明の磁気検知タグ判定装置の一例を示す概念図である。図２中、２２は交差コイルで、後述する様に本発明における特徴的な構造を有している。前記交差コイル２２には、磁界電力供給部２４から、位相が互いに異なる複数の交流電力が供給される。これにより、交差コイル２２からその表面に沿って交流磁界が形成される。前記交差コイル２２の表面（本図においては上面）に沿って、検知タグ２６が移動すると、形成されている交流磁界が歪む。この歪んだ交流磁界は、交差コイル２２により検出され信号処理部２８に送られて所定の信号処理が行われ、次いで判定部３０に送られ検知タグ２６の失効状態の有無が判定される。
【００２６】
図１（ａ）は、上記磁気検知タグ判定装置に用いられる交差コイルの一例を示す平面図、図１（ｂ）はその側面図である。図１中２２は交差コイルである。４２は平板枠体で、樹脂、木材、ガラス、磁器、フェライト等の絶縁板で正方形に形成されている。平板枠体４２には、対向する２辺に沿って、被覆導線４４が巻回され、これにより扁平な第１個別コイル４６が構成されている。従って、第１個別コイル４６の巻回軸方向（磁束方向）は図１（ａ）中に示される矢印Ｘ方向である。
【００２７】
前記第１個別コイル４６上面には、前記と異なる対向する２辺に沿って、被覆導線４８が巻回され、これにより扁平な第２個別コイル５０が構成されている。従って、第２個別コイル５０の巻回軸方向（磁束方向）は、図１（ａ）中に示される矢印Ｙ方向である。即ち、第１個別コイル４６と第２個別コイル５０とは、同一平面内に巻回軸方向を有し、且つ巻回軸方向αが９０度異なっている。
【００２８】
交差コイル２２の寸法は特に制限がなく、検知タグ２６をその上面に沿って移動させて検知タグ２６の失効状態を確認できる大きさがあればよい。
【００２９】
図３は、上記磁気検知タグ判定装置の回路構成を示すブロック図である。磁界電力供給部２４は、発振器３２と位相変調器３４とからなる。発振器３２で発生された交流電力は２分割され、位相変調器で９０度位相を異ならして第１個別コイル４６に供給される。
【００３０】
一方、第２個別コイル５０には発振器３２で発生された位相の交流電力が供給される。従って、第１個別コイル４６と、第２個別コイル５０とには、それぞれ位相が９０度異なる交流電力が供給される。その結果、交差コイル２２上面の磁界強度分布は均一性の高いものとなり、交差コイル２２上面の何れの部位から進入する検知タグ２６も確実に検出される。
【００３１】
検知タグ２６の進入により歪められた交差コイル２２上面の交流磁界は第１個別コイル４６、第２個別コイル５０により検出され、それぞれ信号処理部２８ａ、２８ｂに送られ、フーリエ変換、フィルター処理等の信号処理が行われた後、判定部３０で失効状態の判定が行われる。
【００３２】
図４は、交差コイル９１０の他の例を示すものである。この例にあっては、６角形の平板枠体６２に３本の被覆導線６４、６６、６８がその巻回軸方向を互いに６０度異ならせて、巻回されている。この場合、３個の個別コイルにはそれぞれ相互に６０度位相が異なる交流電力が供給される。同様に、任意の多角形の平板枠体を用いて、任意の個別コイル数の交差コイルを形成できる。また、平板枠体の形状は、正多角形に限られず、長方形、菱形、楕円形、円形等任意の形状を採用しうる。しかし、製造の簡便さからは、正四角形の平板枠体に２個の個別コイルを巻回した交差コイルが最も好ましい。この場合、２個の個別コイルの巻回軸の交差角は９０度になる。
【００３３】
更に、任意の２個の隣合う個別コイルの巻回軸方向のなす角度α（度）は、個別コイルの個数をｎとすると、
α＝１８０／ｎ  （度）
が最も好ましい。しかし、これに限られずα＝１８０／ｎ±１８０／２ｎの範囲であれば、実質的に問題がない。
【００３４】
個別コイルの発生する磁界強度は、検知タグの検出位置で１２０Ａ／ｍ以上が好ましい。
【００３５】
（第２の形態）
図６は、本発明の他の形態を示すものである。上記第１の形態においては、磁界発生コイルと検知コイルとの作用を同一の交差コイルで行っている。第２の形態においては、磁界を交差コイルで発生させ、検知タグに基づく磁界の歪みを前記交差コイルとは異なる別途設けた検知コイルで検出する。
【００３６】
図６中、交差コイル２２は、前記第１の形態で説明したものと同様である。この交差コイル２２の上方には、前記交差コイル２２と近接して検知コイル８２が取付けられている。なお、２６は検知タグである。説明を簡略化するため、以下の図面の説明においては、同一構成に同一符号を付す。
【００３７】
図５は、図６に示す第２の形態の磁気検知タグ判定装置の電子回路構成を示すブロック図である。
【００３８】
図５において、磁界電力供給部２４から交差コイル２２の各個別コイル４６、５０に位相の９０度異なる交流電力が供給され、これにより交差コイル２２の上方に、磁界が形成される。この状態で、交差コイル２２の上方に検知タグ２６が進入すると、前記磁界に歪みが発生する。これらの作用は、第１の形態と同様である。
【００３９】
この磁界の歪みは、交差コイル２２の上方に設けられた検知コイル８２により検出され、信号処理部２８でフーリエ変換、フィルター処理等の信号処理がなされた後、判定部３０で検知タグ２６の失効状態が判定される。
【００４０】
図７は、上記第２の形態で用いることの出来る検知コイル８２の構成を示す説明図である。この検知コイル８２は、樹脂、木材、ガラス、磁器、フェライト等の基板８３の一面に、複数（本図においては９個）の小型コイル８４ａ〜８４ｉが取付けられている。各小型コイル８４ａ〜８４ｉは、それぞれ巻回方向が逆になるように直列に接続されている。従って、これら小型コイル８４ａ〜８４ｉの発生する磁束方向は、互いに隣接する小型コイル同士で逆方向になっている。この状態は各小型コイル８４ａ〜８４ｉの中央に表示された記号＋、−で表示されている。
【００４１】
このように、複数の小型コイル８４ａ〜８４ｉを配列することにより、広い検知領域が確保される。更に、磁界の歪み信号が各コイルの差出力としてと取出されるので、外部ノイズが相殺され、判定精度が高まる。
【００４２】
なお、上記説明においては、検知コイル８２は交差コイル２２の上方に備付けたが、これに限られず、図８に示すように交差コイル２２の下方に備付ける構成にしても良い。更に、小型コイルの数も任意であり、１個でも良い。図９は、導体を平面渦巻状に巻回したループコイル１個を検知コイル８２として用いる例を示す。この場合は、歪み信号を差出力として取出していないので、判定結果はその分精度が低下する。
【実施例】
【００４３】
以下の実施例、比較例に記載する磁気検知タグ判定装置を製造し、次いでこれらを用いて検知タグの失効状態の判定性能を検討した。
【００４４】
検知タグは検知距離を１０ｍｍに調整したものを用いた。検知距離の測定は万引防止用ゲート  ＥＧ−Ｃ４５（リンテック（株）製）を用いた。上記検知タグを、磁気検知タグ判定装置の検知コイル面から１５ｍｍ離れて検知面と平行に０．５ｍ／ｓの速度で移動させた場合の、磁気検知タグ判定装置の判定精度を評価した。
【００４５】
実施例１
図２に示す構成の磁気検知タグ判定装置を製造した。幅１２０ｍｍ、奥行き１２０ｍｍ、高さ１５ｍｍの直方体状の木製平板枠の対向する２辺に、直径０．３１５ｍｍのエナメル被覆銅線を２５５回巻回して、第１個別コイル４６を形成した。次いで、前記第１個別コイルと９０度巻回軸が交差する方向に直径０．３１５ｍｍのエナメル被覆銅線を２５５回巻回して第２個別コイル５０を形成し、交差コイル２２を製造した。
【００４６】
これら第１個別コイル４６と第２個別コイル５０のそれぞれに、位相が９０度異なる３０６Ｈｚ、１．２Ａの交流電流を供給した。
【００４７】
上記２個の個別コイル信号を図３に示すように、２つの信号処理部２８ａ、２８ｂでフーリエ変換した。得られた周波数成分の中で３０６Ｈｚ信号の高調波（３０６Ｈｚ×２，３，４，・・・）の有無で検知タグの有無を判定部３０で判定した。
【００４８】
実施例２
図６に示す構成の磁気検知タグ判定装置を製造した。
【００４９】
（交差コイル）
幅１２０ｍｍ、奥行き１２０ｍｍ、高さ３０ｍｍの直方体状の木製平板枠の対向する２辺に、直径０．５ｍｍのエナメル被覆銅線を２００回巻回して、第１個別コイル４６を形成した。次いで、前記第１個別コイルと９０度巻回軸を交差する方向に直径０．５ｍｍのエナメル被覆銅線を２００回巻回して第２個別コイル５０を形成し、交差コイル２２を製造した。
【００５０】
これら第１個別コイル４６と第２個別コイル５０のそれぞれに、位相が９０度異なる３０６Ｈｚ、１．２Ａの交流電流を供給した。
【００５１】
（検知コイル）
直径０．２ｍｍのエナメル被覆銅線を直径２０ｍｍ、時計回りに６０回巻回して、高さ２ｍｍの円筒コイルを９個形成した。これらのコイルを、中心間距離が３０ｍｍになるように互いの巻回軸方向を平行にして縦３個×横３個の合計９個をコルク板製基板８３上に並べた。さらに、図７に示すようにこれらの隣り合う各コイルの電流の向きがそれぞれ逆になるように直列にコイル同士を接続した。
【００５２】
このようにして形成した検知コイル８２を、図６に示すように、交差コイル２２の上方に配置した。この際、交差コイル２２の各個別コイル４６、５０の巻回軸を含む平面と、検知コイルを並べた基板８３とが平行になるように配置した。
【００５３】
検知コイル８２は隣り合うコイルの電流の向きが逆向きになっているため、一種の差動回路となっている。９つのコイル全ての電流を足し合わされた信号を信号処理部２８に取りこみ、この信号をフーリエ変換して周波数成分に変換した。検知タグからの信号は発振した周波数３０６Ｈｚの信号以外に、この２、３、４・・・ｎ倍の高調波信号が得られた。高調波の（３０６Ｈｚ×２，３，４・・・・）の有無で、検知タグの信号の有無を判定した。結果を表１に示す。
【００５４】
比較例１
図１０に示す様に、直径０．２８ｍｍのエナメル被覆銅線を渦巻状に１２００回巻いて、直径１２０ｍｍの円形平面コイル９４ａ、９４ｂを２個製造した。これら２個の円形平面コイル９４ａ、９４ｂを巻回軸を一致させた状態で互いに１０ｍｍ離して配設した。この円形平面コイル９４ａ、９４ｂを用いて、磁気検知タグ判定装置を構成した。
【００５５】
この磁気検知タグ判定装置においては、磁界電力供給部９５から、円形平面コイル９４ａ、９４ｂに同位相の３０６Ｈｚ、０．２Ａの交流電流を供給し、交流磁界を発生させた。この状態で、円形平面コイル９４ａの表面から上方に１５ｍｍ離れて検知タグ２６を円形平面コイル９４ａの表面に水平に進入させた。
【００５６】
上記２個の円形平面コイル９４ａ、９４ｂの電流の差出力を取出し、その信号を信号処理部２８でフーリエ変換した。得られた周波数成分の中で、３０６Ｈｚ信号の高調波（３０６Ｈｚ×２，３，４・・・・）の有無でタグの有無を判定部３０で判定した。
【００５７】
結果を表１に示す。
試験結果
交差コイル２２の縦方向（図１に示す矢印Ｙに平行方向）、横方向（図１に示す矢印Ｘに平行方向）、斜め方向（図１に示す矢印Ｚに平行方向）に沿って検知タグを交差コイル又は円形平面コイルの上方（検知面）の縁部、中央部に進入させ、このときの磁気検知タグ判定装置の検出の良否を求めた結果を表１に示した。
【００５８】
【表１】
2006220420.tif 000003
【図面の簡単な説明】
【００５９】
【図１】本発明に用いる交差コイルの一例を示す説明図で、（ａ）は平面説明図、（ｂ）は側面説明図である。
【図２】本発明の磁気検知タグ判定装置の構成の一例を示す概念図である。
【図３】本発明の磁気検知タグ判定装置の回路構成を示すブロック図である。
【図４】本発明に用いる交差コイルの他の例を示す説明図である。
【図５】本発明の磁気検知タグ判定装置の他の回路構成例を示すブロック図である。
【図６】図５の磁気検知タグ判定装置の構成例を示す説明図である。
【図７】図５の磁気検知タグ判定装置の検知コイルの一例を示す説明図である。
【図８】本発明の磁気検知タグ判定装置の他の例を示す説明図である。
【図９】本発明の磁気検知タグ判定装置の他の例を示す説明図である。
【図１０】比較例の磁気検知タグ判定装置の構成を示す説明図である。
【図１１】従来の失効器の一例を示す平面説明図である。
【図１２】検知タグの構成の一例を示す側面図である。
【図１３】検知タグの検出方法を示す説明図である。
【図１４】検知タグの検出原理を示す説明図で、（ａ）はゲート間に形成する交流磁界の波形を示し、（ｂ）は検知タグを検出したときの交流磁界の波形を示す。
【符号の説明】
【００６０】
２２    交差コイル
２４    磁界電力供給部
２６    検知タグ
２８、２８ａ、２８ｂ    信号処理部
３０    判定部
４２、６２    平板枠体
４４、４８、６４、６６、６８    被覆導線
４６    第１個別コイル
Ｘ、Ｙ、Ｚ    矢印
５０    第２個別コイル
α    巻回軸方向角度
３２    発振器
３４    位相変調器
９１０    交差コイル
８２    検知コイル
８３    基板
８４ａ〜８４ｉ    小型コイル
９４ａ、９４ｂ    円形平面コイル
９５    磁界電力供給部
【図１】
2006220420.tif 000004
【図２】
2006220420.tif 000005
【図３】
2006220420.tif 000006
【図４】
2006220420.tif 000007
【図５】
2006220420.tif 000008
【図６】
2006220420.tif 000009
【図７】
2006220420.tif 000010
【図８】
2006220420.tif 000011
【図９】
2006220420.tif 000012
【図１０】
2006220420.tif 000013
【図１１】
2006220420.tif 000014
【図１２】
2006220420.tif 000015
【図１３】
2006220420.tif 000016
【図１４】
2006220420.tif 000017